(57)【要約】      （修正有）【課題】第２のインターフェースを配置しながらも小型メモリーカードが意図しない動作を防止するカード装置を提供する。【解決手段】カード装置２００は、ホスト装置と接続可能な第１のインターフェイスと第１のインターフェイスと異なり、別途ホスト装置と接続可能な第２インターフェイスとデータを書き込み、読み出し、消去可能な不揮発メモリとホスト装置からの指示を元に、不揮発メモリに、データの書き込み、読み出し、消去を指示するカードコントローラーと、カードコントローラーと第２のインターフェイス間の信号線の切断と接続が可能なスイッチを具備するカード装置。【選択図】図２
2019057228.tif 000002
【特許請求の範囲】
【請求項１】
ホスト装置と接続可能な第１のインターフェイスと
前記第１のインターフェイスと異なり、別途前記ホスト装置と接続可能な第２インターフェイスと
データを書き込み、読み出し、消去可能な不揮発メモリと
前記ホスト装置からの指示を元に、前記不揮発メモリに、データの書き込み、読み出し、消去を指示するカードコントローラーと
前記カードコントローラーと前記第２のインターフェイス間の信号線の切断と接続が可能なスイッチと、を具備する
カード装置。
【請求項２】
前記カードコントローラーと前記第２のインターフェイス間の信号線の切断と接続を前記カードコントローラーが制御する機能を有する
請求項１に記載のカード装置。
【請求項３】
前記スイッチは、前記ホストから電源が供給された時点では切断状態である
請求項２に記載のカード装置。
【請求項４】
前記ホスト装置からコマンド受信し、前記カードコントローラーが前記スイッチを接続状態にする機能を有する
請求項３に記載のカード装置。
【請求項５】
前記スイッチで接続状態になったことを示すフラグ含むレスポンスを送信する
請求項４に記載のカード装置。
【発明の詳細な説明】
【技術分野】
【０００１】
本開示は、相互に接続が可能なカード装置及びホスト装置に関する。
【背景技術】
【０００２】
近年、フラッシュメモリ等の大容量の不揮発性記憶素子を備え、高速でのデータ処理が可能な、例えばカード形状のＳＤ（Ｓｅｃｕｒｅ Ｄｉｇｉｔａｌ）カード、メモリースティックといったカード装置が市場に普及している。このようなカード装置は、パーソナルコンピュータ、スマートフォン、デジタルカメラ、オーディオプレーヤ及びカーナビゲーションシステム等のホスト装置に装着されて使用される。
【０００３】
デュアルＳＩＭ対応のスマートフォンでは、省スペース化の為に小型メモリーカード装置とＳＩＭカードのコネクタの共用している。一方小型メモリーカード装置は、データ転送の高速化を実現するために従来のインターフェイスに加え新たなインターフェイスが追加されることが考えられる。従来のインターフェイスはカード端面に配置（１ｓｔ Ｒｏｗ）されているが、空きスペースの関係から新たなインターフェイスはそれよりカード内側（２ｎｄ Ｒｏｗ）に配置される。
【先行技術文献】
【特許文献】
【０００４】
【特許文献１】特開２００１−３０７８０１号公報
【発明の概要】
【発明が解決しようとする課題】
【０００５】
しかしながら、１ｓｔ Ｒｏｗインターフェイスの位置はＳＩＭカードと競合しないが、２ｎｄ Ｒｏｗインターフェイスの位置がＳＩＭカードの一部の端子と競合してしまう。ホスト装置に実装されているコネクタ形状によっては、ＳＩＭ用のコネクタ端子が小型メモリーカード装置の２ｎｄ Ｒｏｗ端子に接触し、小型メモリーカード装置の２ｎｄ Ｒｏｗ端子を経由して期待されない信号が小型メモリーカード装置内部に印加され、小型メモリーカードが意図しない動作をする恐れがある。
【０００６】
本開示におけるカード装置は、２ｎｄ Ｒｏｗ端子を配置しながらも小型メモリーカードが意図しない動作を防止する。
【課題を解決するための手段】
【０００７】
本開示におけるカード装置は、ホスト装置と接続可能な第１のインターフェイスと第１のインターフェイスと異なり、別途ホスト装置と接続可能な第２インターフェイスとデータを書き込み、読み出し、消去可能な不揮発メモリとホスト装置からの指示を元に、不揮発メモリに、データの書き込み、読み出し、消去を指示するカードコントローラーと、カードコントローラーと第２のインターフェイス間の信号線の切断と接続が可能なスイッチを具備する。
【発明の効果】
【０００８】
本開示におけるカード装置は、２ｎｄ Ｒｏｗ端子とカード内部とを切断・接続可能とし、期待しない信号がカード内部に印加される可能性を軽減する。
【図面の簡単な説明】
【０００９】
【図１】小型メモリーカード装置の端子位置を示す図
【図２】小型メモリーカード装置の内部構造を示す図
【図３】小型メモリーカード装置の２ｎｄ  Ｒｏｗインターフェイス接続のフローチャート
【図４】小型メモリーカード装置の２ｎｄ  Ｒｏｗインターフェイス非接続のフローチャート
【図５】２ｎｄ Ｒｏｗ接続用コマンド、レスポンスを示す図
【図６】複数の選択肢がある場合の２ｎｄ  Ｒｏｗ接続フラグの例を示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を十分に理解するために、提供されるのであって、これらにより特許請求の範囲に記載の主題を限定することは意図されていない。
【００１２】
（実施の形態１）
［１−１．構成］
図１は、本実施の形態に係る小型メモリーカード装置１００を示す図である。図１に示す小型メモリーカード装置は、従来から小型メモリーカード装置に搭載されている３．３Ｖ／１．８Ｖのシングルエンドインターフェイス（以下、レガシーＩ／Ｆと略記する）と、新規Ｉ／Ｆを持つ小型メモリーカードである。小型メモリーカード装置の１ｓｔ Ｒｏｗインターフェイス１０１は、レガシーＩ／Ｆである。小型メモリーカード装置の２ｎｄ Ｒｏｗインターフェイス１０２は新規インターフェイスである。
【００１３】
図２は、小型メモリーカード装置２００の内部構造を示す図である。
【００１４】
１ｓｔ Ｒｏｗインターフェイス２０１は、図１に示した小型メモリーカード装置の１ｓｔ Ｒｏｗインターフェイス１０１と同一である。２ｎｄ Ｒｏｗインターフェイス２０２は、図１に示した小型メモリーカード装置の２ｎｄ Ｒｏｗインターフェイス１０２と同一である。カードコントローラー２０３は、１ｓｔ Ｒｏｗインターフェイス２０１と接続され、ホスト装置から１ｓｔ Ｒｏｗインターフェイス２０１を経由して入力されるコマンド、データを受信する。カードコントローラー２０３は、受信したコマンドに対応するレスポンス、データを１ｓｔ Ｒｏｗインターフェイスを経由してホスト装置に送信する。カードコントローラー２０３は、不揮発メモリ２０４を制御しデータの書き込み、読み出し、消去を行う。不揮発メモリ２０４は、カードコントローラーからの指示で、データの書き込み、読み出し、消去を行う。不揮発メモリ２０４は、具体的にはＮＡＮＤ ＦＬＡＳＨメモリである。スイッチ２０５は、２ｎｄ Ｒｏｗインターフェイス２０２とカードコントローラー２０３の間に位置し、信号線の切断と接続を行う。信号線の切断と接続は、カードコントローラー２０３からスイッチ２０５に繋がる制御線２０６によって行われる。小型メモリーカード装置２００に電源が供給された時点では、２ｎｄ Ｒｏｗインターフェイス２０２とカードコントローラー２０３の間の信号線は切断された状態になるように制御線２０６によって制御する。
【００１５】
なお、スイッチ２０５は、カードコントローラー２０３に内蔵されていても良い。
【００１６】
なお、２ｎｄ Ｒｏｗインターフェイス２０２からスイッチ２０５を経由してカードコントローラー２０３に繋がっている信号線は、２ｎｄ Ｒｏｗインターフェイス２０２の一部であっても良い。残りの一部は、カード内部のＧＮＤに接続されてもよい。また、残りの一部は不揮発メモリ２０４に接続されても良い。
【００１７】
［１−２．動作］
以上のように構成された小型メモリーカード装置について、その動作を以下説明する。
【００１８】
図３は、ホスト装置による小型メモリーカード装置の２ｎｄ Ｒｏｗ接続時のフローチャートである。ホスト装置は、ホスト装置に実装しているカードコネクタの機構等から、カードが挿入されたことを検知する（Ｓ００１）。ホスト装置は、小型メモリーカード装置２００を利用する場合、１ｓｔ Ｒｏｗインターフェイスを使用して、小型メモリーカード装置にコマンドを送信する（Ｓ００２）。小型メモリーカード装置はホストからのコマンドを受信する（Ｓ００３）。小型メモリーカード装置に内蔵されているカードコントローラー２０３は、２ｎｄ Ｒｏｗインターフェイスをカード内部で接続するかを判断する為に、受信したコマンドを解析する（Ｓ００４）。２ｎｄ Ｒｏｗインターフェイスを接続すると判断した場合、カードコントローラー２０３は制御線２０６を用いてスイッチ２０５を操作し、カードコントローラー２０３と２ｎｄ Ｒｏｗインターフェイス２０２を接続する。
【００１９】
図４は、小型メモリーカード装置の２ｎｄ Ｒｏｗインターフェイスの非接続時のフローチャートである。ホスト装置は、ホスト装置に実装しているカードコネクタの機構等から、カードが挿入されたことを検知する（Ｓ００１）。ホスト装置は、ＳＩＭカードを利用する場合、ＳＩＭ用の端子を用いて初期化を開始する。この時、小型メモリーカード装置２００の２ｎｄ Ｒｏｗインターフェイス２０２と位置が競合するＳＩＭ用の端子に信号が印加される（Ｓ００２）。小型メモリーカード装置２００は、１ｓｔ Ｒｏｗインターフェイス２０１からのコマンドを受信していない為、２ｎｄ Ｒｏｗインターフェイスを内部で接続しない（Ｓ００３）。ＳＩＭ用端子から信号を印加しても、小型メモリーカード装置は反応しないため、ＳＩＭカードの利用開始に失敗する（Ｓ００４）。その後、小型メモリーカード装置を利用する場合は、ホスト装置は図３で示す手順を実施する。
【００２０】
なお、カードコントローラー２０３は、１ｓｔ Ｒｏｗの端子の信号レベルで接続判断を行っても良い。
【００２１】
［１−３．コマンド］
ホスト装置から送信されたコマンドについて説明する。
【００２２】
図５は、ホスト装置から送信されるコマンドとそのレスポンスフォーマットの一例を示す。２ｎｄ Ｒｏｗ接続用コマンドフォーマット５００は、２ｎｄ Ｒｏｗ接続用コマンドインデックス５０１と、２ｎｄ Ｒｏｗ接続用コマンドアーギュメント５０２と、からなる。
【００２３】
２ｎｄ Ｒｏｗ接続用コマンドインデックス５０１は、ホスト装置が発行したコマンドが、２ｎｄ Ｒｏｗ接続用コマンドであることを識別するために小型メモリーカード装置が使用する。
【００２４】
２ｎｄ Ｒｏｗ接続用コマンドアーギュメント５０２は、２ｎｄ Ｒｏｗ接続フラグ５０３を含む。２ｎｄ Ｒｏｗ接続フラグは、ホスト装置が小型メモリーカード装置に２ｎｄ Ｒｏｗ接続を指示するかを示す。接続を指示する場合は、「１」、指示しない場合は「０」とする。
【００２５】
２ｎｄ Ｒｏｗ接続用レスポンスフォーマット５１０は、２ｎｄ Ｒｏｗ接続用レスポンスコマンドインデックス５１１と、２ｎｄ Ｒｏｗ接続用レスポンスコマンドアーギュメント５１２と、からなる。
【００２６】
２ｎｄ Ｒｏｗ接続用レスポンスコマンドインデックス５１１は、２ｎｄ Ｒｏｗ接続用コマンドに含まれるコマンドインデックス５０１と同じ値が、小型メモリーカード装置から返信され、ホスト装置は２ｎｄ Ｒｏｗ接続用レスポンスであることを確認するために使用する。
【００２７】
２ｎｄ Ｒｏｗ接続用レスポンスコマンドアーギュメント５１２は、接続完了フラグ５１３を含む。接続完了フラグ５１３は、小型メモリーカード装置の内部で２ｎｄ Ｒｏｗインターフェイスが接続完了であれば「１」を、未完了の場合は「０」を示す。
【００２８】
図６は、複数の選択肢がある場合の２ｎｄ Ｒｏｗ接続フラグの例である。第０ビットは、小型カード内部のＰＣＩｅと２ｎｄ Ｒｏｗの接続指示を示す。同様に、第１ビットはＵＨＳ−ＩＩ、第２ビットはＵＳＢ、第３ビットはＭ−ＰＨＹとの接続指示を示す。２ｎｄ Ｒｏｗ接続フラグが「０＿０＿０＿１」である場合、ＰＣＩｅと２ｎｄ Ｒｏｗの接続指示を示す。小型メモリーカード装置は、自身が搭載しているインターフェイスの接続指示であるかを判断し、搭載していれば２ｎｄ Ｒｏｗを内部のカードコントローラーと接続する。搭載していなければ、接続完了フラグを「０」としてレスポンスを返信する。
【００２９】
なお、コマンドを受信したことで２ｎｄ Ｒｏｗ接続指示と判断しても良い。
【００３０】
［１−４．効果等］
以上のように、本実施の形態において、小型メモリーカード装置はホスト装置から接続指示を受けるまで、２ｎｄ Ｒｏｗインターフェイスを切断している。これにより、期待しない信号が２ｎｄ Ｒｏｗインターフェイスを通して小型メモリーカード装置の内部に印加されることがなくなり、安全に小型メモリーカード装置を利用できる。
【００３１】
なお、上述の実施の形態は、本開示における技術を例示するためのものであるから、特許請求の範囲またはその均等の範囲において種々の変更、置き換え、付加、省略などを行うことができる。
【産業上の利用可能性】
【００３２】
本開示は、複数のインターフェイスを持つ小型メモリーカード装置に適用可能である。
【符号の説明】
【００３３】
１００  小型メモリーカード装置
１０１  小型メモリーカード装置の１ｓｔ Ｒｏｗインターフェイス
１０２  小型メモリーカード装置の２ｎｄ Ｒｏｗインターフェイス
２００  小型メモリーカード装置
２０１  １ｓｔ Ｒｏｗインターフェイス
２０２  ２ｎｄ Ｒｏｗインターフェイス
２０３  カードコントローラー
２０４  不揮発メモリ
２０５  スイッチ
２０６  制御線
５００  ２ｎｄ Ｒｏｗ接続用コマンドフォーマット
５０１  ２ｎｄ Ｒｏｗ接続用コマンドインデックス
５０２  ２ｎｄ Ｒｏｗ接続用コマンドアーギュメント
５０３  ２ｎｄ Ｒｏｗ接続フラグ
５１０  ２ｎｄ Ｒｏｗ接続用レスポンスフォーマット
５１１  ２ｎｄ Ｒｏｗ接続用レスポンスコマンドインデックス
５１２  ２ｎｄ Ｒｏｗ接続用レスポンスコマンドアーギュメント
５１３  接続完了フラグ
【図１】
2019057228.tif 000003
【図２】
2019057228.tif 000004
【図３】
2019057228.tif 000005
【図４】
2019057228.tif 000006
【図５】
2019057228.tif 000007
【図６】
2019057228.tif 000008